(57)【要約】【課題】部品点数の少ない錠装置を有した室内ドアとする。【解決手段】扉体２の戸先框２２に、一側操作部材３０と他側操作部材４０を有した錠装置３を回転可能に取付け、その一側操作部材３０の摘み部３１を、枠体１の一方の縦枠１２の戸当り１４に接して扉体２を閉じ位置でロックする施錠位置と、前記戸当り１４と離れてロック解除する解錠位置に回転自在とし、その摘み部３１を錠と兼用すると共に、戸当り１４を錠受と兼用して錠装置の部品点数を少なくした室内ドアとする。【選択図】図４
2010138615.tif 000002
【特許請求の範囲】
【請求項１】
枠体に扉体を閉じ位置と開き位置とに亘って面外方向に回動自在に取付けた室内ドアであって、
前記扉体の戸先框に、一側操作部材と他側操作部材を互いに回転しないように連結した錠装置を、その一側操作部材の摘み部が前記戸先框の面外方向の一側面から突出し、かつ他側操作部材の摘み部が前記戸先框の面外方向の他側面から突出して回転可能に取付け、
前記一側操作部材の摘み部と他側操作部材の摘み部の一方を、前記扉体を閉じ位置から開き方向に回動したときに前記枠体の一方の縦枠に接して扉体を開き方向に回動しないようにロックする施錠位置と、前記一方の縦枠と離れて扉体を開き方向に回動できるようにロック解除する解錠位置に回転するようにしたことを特徴とする室内ドア。
【請求項２】
前記一側操作部材の摘み部と他側操作部材の摘み部の一方を、前記扉体が閉じ位置のときに、前記一方の縦枠の戸当りにおける扉体当接面と面外方向に反対の面に接して扉体をロックする施錠位置と、前記戸当りと離れて扉体をロック解除する解錠位置とに亘って回転するようにした請求項１記載の室内ドア。
【請求項３】
前記一側操作部材は連結部と摘み部を有し、他側操作部材は連結部と摘み部を有し、
前記連結部相互を、面外方向に互いに接近する方向に移動する付勢力が生じ、かつ面外方向の外力によって前記付勢力に抗して互いに離れる方向に移動するように連結し、
前記一側操作部材の摘み部の裏面と、他側操作部材の摘み部の裏面が、前記付勢力で戸先框の一側面、他側面に接するようにした請求項２記載の室内ドア。
【請求項４】
前記摘み部を操作位置と解錠位置とに回転することで、前記連結部に面外方向の外力が作用して一側操作部材と他側操作部材の一方が、面外方向に離隔する方向に移動するようにした請求項３記載の室内ドア。
【請求項５】
前記一側操作部材の連結部は、戸先框の一側孔に挿通し、その連結部は軸孔を有すると共に、その軸孔の一部を外面に開口する開口部を有し、
前記他側操作部材の連結部は、前記戸先框の他側孔に挿通し、前記軸孔に弾性変形して挿入され、かつ開口部の開口縁に接するほぼくの字形状の連結プレートを有する請求項３又は４記載の室内ドア。
【発明の詳細な説明】
【技術分野】
【０００１】
本発明は、浴室の出入口に用いる浴室ドア、室内間仕切りの出入口に用いるドアなどの室内ドアに関する。
【背景技術】
【０００２】
従来、浴室ドアにおいては、扉体を閉じ状態で施錠する錠装置を備えている。
例えば、特許文献１に開示されたように、枠体の縦枠にラッチ受けを取付け、扉体の縦框に操作部材と、この操作部材で上下動するロッドを設け、そのロッドに前記ラッチ受けに係脱するローラを取付け、前記操作部材を上下に操作することでロッドが上下に移動し、そのローラがラッチ受けに係脱して扉体を枠体に施錠、解錠する錠装置を備えた浴室ドアが提案されている。
【特許文献１】特許第４０９８７２７号公報
【発明の開示】
【発明が解決しようとする課題】
【０００３】
前述した従来の浴室ドアの錠装置は、縦枠に取付けたラッチ受け、縦框に取付けた操作部材、ロッド、ローラを有しているので、部品点数が多く、錠装置を取付けるには、多くの部品を縦枠、縦框に取付ける必要があり、その錠装置の取付けが面倒である。
また、錠装置は多くの部品を有するから、高価である。
【０００４】
本発明の目的は、部品点数が少なく、簡単に取付けできる錠装置を有した室内ドアとすることである。
【課題を解決するための手段】
【０００５】
本発明は、枠体に扉体を閉じ位置と開き位置とに亘って面外方向に回動自在に取付けた室内ドアであって、
前記扉体の戸先框に、一側操作部材と他側操作部材を互いに回転しないように連結した錠装置を、その一側操作部材の摘み部が前記戸先框の面外方向の一側面から突出し、かつ他側操作部材の摘み部が前記戸先框の面外方向の他側面から突出して回転可能に取付け、
前記一側操作部材の摘み部と他側操作部材の摘み部の一方を、前記扉体を閉じ位置から開き方向に回動したときに前記枠体の一方の縦枠に接して扉体を開き方向に回動しないようにロックする施錠位置と、前記一方の縦枠と離れて扉体を開き方向に回動できるようにロック解除する解錠位置に回転するようにしたことを特徴とする室内ドアである。
【０００６】
本発明においては、前記一側操作部材の摘み部と他側操作部材の摘み部の一方を、前記扉体が閉じ位置のときに、前記一方の縦枠の戸当りにおける扉体当接面と面外方向に反対の面に接して扉体をロックする施錠位置と、前記戸当りと離れて扉体をロック解除する解錠位置とに亘って回転するようにできる。
このようにすれば、扉体が閉じ位置のときに当接する戸当りを錠受として兼用できる。
また、施錠位置の摘み部を解錠位置に回転するときに戸当りが邪魔にならない。
【０００７】
本発明においては、前記一側操作部材は連結部と摘み部を有し、他側操作部材は連結部と摘み部を有し、
前記連結部相互を、面外方向に互いに接近する方向に移動する付勢力が生じ、かつ面外方向の外力によって前記付勢力に抗して互いに離れる方向に移動するように連結し、
前記一側操作部材の摘み部の裏面と、他側操作部材の摘み部の裏面が、前記付勢力で戸先框の一側面、他側面に接するようにできる。
このようにすれば、一側操作部材と他側操作部材を戸先框に、ガタつくことなしにしっかりと取付けできる。
【０００８】
本発明においては、前記摘み部を操作位置と解錠位置とに回転することで、前記連結部に面外方向の外力が作用して一側操作部材と他側操作部材の一方が、面外方向に離隔する方向に移動するようにできる。
このようにすれば、摘み部を施錠位置と解錠位置とに回転することで、一側操作部材と他側操作部材の一方が面外方向に移動するから、施錠、解錠するときにクリック感を生み出すことができる
【０００９】
本発明においては、前記一側操作部材の連結部は、戸先框の一側孔に挿通し、その連結部は軸孔を有すると共に、その軸孔の一部を外面に開口する開口部を有し、
前記他側操作部材の連結部は、前記戸先框の他側孔に挿通し、前記軸孔に弾性変形して挿入され、かつ開口部の開口縁に接するほぼくの字形状の連結プレートを有するようにできる。
このようにすれば、一側操作部材と他側操作部材を戸先框の一側孔、他側孔に挿入することで、軸孔と連結プレートを嵌合して連結できるから、一側操作部材と他側操作部材を戸先框に簡単に取付けできる。
また、一側操作部材と他側部材が面外方向に離れる力が作用すると、連結プレートが弾性変形して軸孔から抜け出すので、一側操作部材と他側操作部材が固着して解錠操作できない場合には、扉体を開放側に回動することで連結プレートが軸孔から抜け出し、扉体を開放できる。
【発明の効果】
【００１０】
本発明によれば、錠装置の摘み部が錠を兼用し、枠体の一方の縦枠が錠受を兼用するので、部品点数が少なく、簡単に取付けできる錠装置を有した室内ドアである。
【発明を実施するための最良の形態】
【００１１】
図１と図２に示すように、枠体１に扉体２を、開き位置と閉じ位置とに亘って開閉自在に取付けて室内ドア、例えば浴室ドアとしてある。
前記枠体１は、上枠１０と下枠１１と左右の縦枠１２，１３を方形状に連結してある。
前記扉体２は、上框２０と下框２１と戸先框２２と戸尻框（吊元框）２３を方形状に連結し、その内部に面材２４が装着してある。
前記戸尻框２３を他方の縦框１３にヒンジなどで面外方向に回動自在に取付けて、戸先框２２が一方の縦枠１２の戸当り１４に接し枠体１を閉塞した閉じ位置と、戸当り１４と離れて枠体１を開放する開き位置とに亘って面外方向に回動自在に取付けている。この実施の形態では、戸当り１４に気密材１５が装着され、その気密材１５を介して戸先框２２が戸当り１４に当接するようにしてある。
前記戸先框２２の脱衣室側部と浴室側部には把手（ハンドル）２５がそれぞれ取付けてあり、扉体２を脱衣室側及び浴室側から把手２５を持って開閉操作できる。
【００１２】
前記戸先框２２に錠装置３が取付けてある。
この錠装置３は浴室側、脱衣室側から手動操作で施錠、解錠できる。
前記錠装置３は戸先框２２における子供の手が届かない高い位置に取付けてあり、大人は前述のように操作できるが、子供は操作できないようにしてある。
すなわち、この錠装置３はチャイルドロックと呼ばれる錠装置である。
【００１３】
前記錠装置３は、図３、図４に示すように、一側操作部材３０と他側操作部材４０を相互に回転しないように連結し、戸先框２２に回転可能に取付けてある。
前記一側操作部材３０は、摘み部３１と連結部３２を備えている。
前記他側操作部材４０も同様に、摘み部４１と連結部４２を備えている。
前記一方の連結部３２と他方の連結部４２が相互に回転しないように連結され、その連結部３２，４２が戸先框２２の中空部に設けられ、一側操作部材３０の摘み部３１が戸先框２２の面外方向の一側面２２ａから面外方向一側方に張り出している。例えば、脱衣室側方に張り出している。
前記他側操作部材４０の摘み部４１が戸先框２２の面外方向の他側面２２ｂから面外方向他側方に張り出している。例えば、浴室側方に張り出している。
【００１４】
前記面外方向一側方から摘み部３１を持って一側操作部材３０を回転することで、他側操作部材４０も同時に回転し、面外方向他側方から摘み部４１を持って他側操作部材４０を回転すると一側操作部材３０も同時に回転する。
前記一側操作部材３０の摘み部３１と他側操作部材４０の摘み部４１の一方を、扉体２を閉じ位置から開き位置に向けて回動したときに一方の縦枠１２、この実施の形態では戸当り１４に接して扉体２を開き方向に回動しないようにロックする施錠位置と、一方の縦枠１２と離れて扉体２を開き方向に回動できるようにロック解除する解錠位置に回転するようにしてある。
【００１５】
前述のようであるから、扉体２が閉じた状態で、その扉体２を境として面外方向一側方（脱衣室側方）、面外方向他側方（脱衣室側方）から摘み部３１、摘み部４１を手で持って回転することで、扉体２を施錠したり、解錠したりすることができる。
また、摘み部３１，４１の一方が錠を兼用し、一方の縦枠１２が錠受を兼用するので、錠装置３の部品点数が少なく、簡単に取付けできる。
【００１６】
図３と図４に示すように、前記戸当り１４は、一方の縦枠１２の面内方向の内側面１２ａよりも面内方向の内側に向けて突出している。
前記一側操作部材３０の摘み部３１は、連結部３２と連続した基部３１ａと、この基部３１ａに設けた摘み片３１ｂを有し、この摘み片３１ｂの一端部３１ｃが基部３１ａの周面よりも面内方向に突出している。
前記他側操作部材４０の摘み部４１は、連結部４２と連続した基部４１ａと、この基部４１ａに設けた摘み片４１ｂを有している。
【００１７】
前記扉体２が閉じ位置で、前記一側操作部材３０の摘み部３１が施錠位置のときに、前記戸当り１４の扉体当接面１４ａと反対側の面１４ｂ、つまり、戸当り１４の扉体２と対向した面外方向の一側面１４ａと反対の面外方向の他側面１４ｂに摘み部３１（摘み片３１ｂの一端部３１ｃ）が隙間を有して相対向し、扉体２を開き位置に向けて回動したときに摘み部３１が戸当り１４の他側面１４ｂに接して扉体２が開き方向に回動しないようにロックする。
前記摘み部３１が図３に仮想線で示すように、解錠位置のときに、戸当り１４よりも摘み部３１（摘み片３１ｂの一端部３１ｃ）が面内方向の内側に位置し、扉体２が開き方向に回動できるようにロック解除する。
なお、施錠位置のときに摘み部（摘み片３１ｂの一端部３１ｃ）が戸当り１４の他側面１４ｂに接するようにしても良い。
【００１８】
このように、摘み部３１が戸当り１４の他側面１４ｂに接するようにすれば、その摘み部３１を手で持って回転操作する際に戸当り１４が邪魔にならない。
【００１９】
図２に示す実施の形態では、扉体２を他側方（浴室側方）に矢印で示すように回動することで開放するようにしてあるので、一側操作部材３０の摘み部３１が一方の縦枠１２（戸当り１４）に接して扉体２を閉じ状態で施錠できるようにしてある。
なお、扉体２を面外方向の一側方（脱衣室側方）に回動して開放する場合には、他側操作部材４０の摘み部４１が一方の縦枠１２（戸当り１４）に接するようにする。
【００２０】
次に、各部の詳細を図５と図６に基づいて説明する。
前記戸先框２２は、面外方向の一側板５０と他側板５１と、面内方向の一端板５２と他端板５３で中空部５４を有した長尺材である。
前記一側板５０には一側孔５５、他側板５１には他側孔５６が相対向して形成してある。
前記一側操作部材３０の連結部３２が一側孔５５から中空部５４内に挿入されると共に、他側操作部材４０の連結部４２が他側孔５６から中空部５４内に挿入され、その連結部３２，４２相互が中空部５４内で連結されて錠装置３が戸先框２２に取付けてある。
【００２１】
前記連結部３２と連結部４２は、面外方向に互いに接近する方向に移動する付勢力が生じ、かつ外力によって面外方向に互いに離れる方向に移動するように連結されている。
例えば、一側操作部材３０の連結部３２は、前記基部３１ａと連続した円形の支持軸３３と、この支持軸３３と連続した連結軸３４を有し、その連結軸３４の軸心と支持軸３３の軸心とに亘って軸孔３５が形成され、その軸孔３５は一対の開口部３６で連結軸３４の外面に開口している。
前記支持軸３３が戸先框２２の一側孔５５に回転自在に嵌合し、摘み部３１の裏面が戸先框２２の一側面２２ａに接すると共に、連結軸３４は他側孔５６に向かうと共に、軸孔３５は他側孔３６に向けて開口している。
【００２２】
前記他側操作部材４０の連結部４２は、基部４１ａと連続した円形の支持軸４３と、この支持軸４３の先端面４３ａに設けた一対の連結プレート４４を有している。
この他側操作部材４０の基部４１ａが戸先框２２の他側孔５６に回転自在に嵌合し、摘み部４１の裏面が戸先框２２の他側面２２ｂに接すると共に、一対の連結プレート４４が前記連結軸３４の軸孔３５内に挿入される。
前記連結プレート４４の長手方向の中間部は、支持軸４３側の基部傾斜片４４ａと、この基部傾斜片４４ａの先端部と連続した先部傾斜片４４ｂで外側に向かうほぼくの字形状に折曲している。
前記一対の連結プレート４４の先端部は円弧形状の先端片４５で一体的に連結してある。
【００２３】
そして、一対の連結プレート４４を連結軸３４の軸孔３５に挿入すると、各傾斜片が連続した頂部４４ｃが軸孔３５の内面に接して基部傾斜片４４ａと先部傾斜片４４ｂが軸孔３５の軸心方向に弾性変形する。
所定の位置まで挿入すると、前記頂部４４ｃが開口部３６に突出し、基部傾斜片４４ａ、先部傾斜片４４ｂが弾性復元して頂部４４ｃが開口部３６から外方に突出するが、基部傾斜片４４ａが開口部３６の先部側の開口縁３６ａに接して完全に弾性復元しない。
【００２４】
これによって、図５に示すように、基部傾斜片４４ａと開口部３６の先部側の開口縁３６ａの接触部分によって、一側操作部材３０の連結部３２は面外方向他側方（矢印ａ）に向かう力が作用し、他側操作部材４０の連結部４２は面外方向一側方（矢印ｂ）に向かう力が作用する。
したがって、連結部３２と連結部４２は、面外方向に互いに接近する方向に移動する付勢力が生じ、かつ面外方向の外力によって面外方向に互いに離れる方向に移動するように嵌合して連結される。
【００２５】
このようであるから、一側操作部材３０と他側操作部材４０を戸先框２２の一側孔５５、他側孔５６からそれぞれ挿入することで、連結部３２と連結部４２を簡単に連結できる。
また、連結部３２と連結部４２を面外方向にガタつくことなしにしっかりと連結できると共に、各摘み部３１，４１の裏面が戸先框２２の一側面２２ａ、他側面２２ｂに接し、一側操作部材３０と他側操作部材４０をガタつくことなしに、しっかりと取付けできる。
【００２６】
前記他側操作部材４０の連結部４２の支持軸４３の外周面４３ｂには突起４６が設けてあると共に、摘み部４１（基部４１ａ）の裏面に突部４７が設けてある。前述の基部４１ａの裏面とは摘み片４１ｂを設けた表面と反対側の面で、戸先框２２の他側面２２ｂに接する面である。
前記戸先框２２の他側孔５６の内周面の一部に回転規制用の溝５７と、操作時にクリック感を生み出すための第１凹部５８、第２凹部５９が形成してある。
前記溝５７に、前記突起４６が挿通し、この突起４６が溝５７の一端部５７ａと他端部５７ｂに当接することで他側操作部材４０の回転範囲を規制する。
例えば、溝５７は９０度の範囲に亘って形成され、突起４６が一端部５７ａに当接すると、前記一側操作部材３０の摘み部３１が縦枠１２と離れた解錠位置となる。
前記突起４６が他端部５７ｂに当接すると、前記一側操作部材３０の摘み部３１が縦枠１２に接する施錠位置となる。
【００２７】
前記突部４７は、前記第１凹部５８、第２凹部５９に嵌まり合うと共に、離脱する形状である。好ましくは、突部４７の回転方向の両端面を円弧形状として、回転することで第１凹部５８、第２凹部５９から離脱し易くしてある。
例えば、他側操作部材４０を９０度回転すると第１凹部５８又は第２凹部５９に嵌まり合う。
前記突部４７が第１凹部５８又は第２凹部５９に嵌まり合ったときには図５に示すように摘み部４１（基部４１ａ）の裏面が戸先框２２の他側面２２ｂに接する。
前記突部４７が第１凹部５８、第２凹部５９から離脱すると、図７に示すように突部４７が戸先框２２の他側面２２ｂに接し、他側操作部材４０は一対の連結片４４が弾性変形して面外方向他側方に移動する。
【００２８】
このようであるから、一側又は他側操作部材３０，４０の摘み部３１，４１を手で持って回転することで、突起４７が第１凹部５８又は第２凹部５９から離脱したり、嵌まり合うから、操作時のクリック感を生み出すことができる。
【００２９】
また、一側操作部材３０の連結部３２と他側操作部材４０の連結部４２は、一対の連結プレート４４を弾性変形して連結軸３４の軸穴３５に押し込んで連結してあるので、その一側操作部材３０と他側操作部材４０を離れる方向に引張ることで、一対の連結プレート４４と連結軸３４が外れる。
したがって、一側操作部材３０と他側操作部材４０が固着して解錠操作できない場合には、扉体２を開こうとすることで連結部３２と連結部４２が前述のように外れるので、扉体２を開放できる。
【００３０】
以上の実施の形態では浴室ドアとして述べたが、これに限ることはなく室内間仕切り用ドアなどの室内ドアとしても利用できる。
また、摘み部３１を戸当り１４に接するようにしたが、戸当り１４以外の縦枠１２の一部分に接するようにしても良い。
また、連結プレート４４をほぼくの字形状とし、その連結プレート４４の弾性力で一方の連結部３２と他方の連結部４２を面外方向に接近する方向に移動する付勢力を生じるようにしたが、コイルばねなどの弾性体を用いても良い。
【図面の簡単な説明】
【００３１】
【図１】本発明の実施の形態を示す室内ドアの概略正面図である。
【図２】図１のＡ−Ａ断面図である。
【図３】図１における錠装置取付部の拡大正面図である。
【図４】図３のＢ−Ｂ断面図である。
【図５】錠装置の取付け状態の拡大断面図である。
【図６】錠装置の分解斜視図である。
【図７】摘み部を回転した状態の説明図である。
【符号の説明】
【００３２】
１…枠体、２…扉体、３…錠装置、１２…一方の縦枠、１４…戸当り、２２…戸先框、２２ａ…一側面、２２ｂ…他側面、３０…一側操作部材、３１…摘み部、３２…連結部、３５…軸孔、３６…開口部、４０…他側操作部材、４１…摘み部、４２…連結部、４４…連結プレート、５５…一側孔、５６…他側孔。
【図１】
2010138615.tif 000003
【図２】
2010138615.tif 000004
【図３】
2010138615.tif 000005
【図４】
2010138615.tif 000006
【図５】
2010138615.tif 000007
【図６】
2010138615.tif 000008
【図７】
2010138615.tif 000009